(57)【要約】  ｙ−方向伸び（伸張）を有する弾性積層体である又は部分的に弾性積層体である（含む）構成要素を備え、支持体シート及び弾性材（１２）を備え、前記構成要素の積層体部分（１０）を一緒に形成し、異なる最大伸びを有する領域（１、２）及び／又は異なるひだ高さ及び／又は密度を有する領域（１、２）を有し、その結果、圧力跡が少ない又はない１つ以上の領域（１、２）が製作され、同時に全体的に良好な力特性が維持され、良好な性能、着用して心地よい吸収性物品。
2009511236.tif 000002
【特許請求の範囲】
【請求項１】
支持体シートに取り付けられる弾性材（１２）である弾性積層体部分（１０）を有する構成要素を備える使い捨て吸収性物品であって、前記構成要素及び弾性積層体部分（１０）が、弾性的に第１の方向（例えば、ｙ−方向）に伸張可能であり、前記弾性積層体部分（１０）が、絶対収縮長さＬｃ及び完全伸張絶対長さＬｓを有し、前記弾性積層体部分（１０）が、少なくとも０．６又は好ましくは少なくとも０．８の最大伸びεで伸張でき、
前記弾性積層体部分（１０）が異なる最大伸びを持つ領域（１、２）を（ｙ−方向に）有し、前記領域（１、２）は、絶対収縮長さＬｃｚｏｎｅ１及び絶対伸張長さＬｓｚｏｎｅ１及びεの５０％未満の最大伸びεｚｏｎｅ１を有する第１領域（１）、並びに、絶対収縮長さＬｃｚｏｎｅ２及び絶対伸張長さＬｓｚｏｎｅ２及びεを超える最大ｙ−方向伸びεｚｏｎｅ２を有する第２領域（２）を含み、前記第１領域（１）及び第２領域（２）は、少なくとも２ｃｍの完全収縮長さＬｃｚｏｎｅ１及びＬｃｚｏｎｅ２を有する、使い捨て吸収性物品。
【請求項２】
支持体シートに取り付けられる弾性材（１２）である弾性積層体部分（１０）を有する構成要素を備える使い捨て吸収性物品であって、前記構成要素及び弾性積層体部分（１０）が弾性的に第１の方向（例えば、ｙ−方向）に伸張可能であり、前記弾性積層体部分（１０）が、完全伸張絶対長さＬｓ及び絶対収縮長さＬｃを有し、前記弾性積層体部分（１０）が、少なくとも０．６又は好ましくは少なくとも０．８の伸びεで伸張でき、
前記弾性積層体部分（１０）が、異なる最大伸びを持つ（ｙ−方向の）領域（１、２）を有し、前記領域（１、２）は絶対収縮長さＬｃｚｏｎｅ１及び絶対伸張長さＬｓｚｏｎｅ１及び最大伸びεｚｏｎｅ１を有する第１領域（１）、並びに、絶対収縮長さＬｃｚｏｎｅ２及び絶対伸張長さＬｓｚｏｎｅ２及び最大伸びεｚｏｎｅ２を有する第２領域（２）を少なくとも含み、前記第１領域（１）及び前記第２領域（２）のそれぞれが少なくとも２ｃｍの完全収縮長さＬｃｚｏｎｅ１を有し、ε＝０．５の部分的な伸びで
ａ）前記弾性積層体部分（１０）が、平均ひだ高さ（ｚ−方向）Ｈｗを備えるひだを有し、前記第１領域（１）が、ひだを有しないか若しくはＨｗの５０％未満の平均ひだ高さＨｗｚｏｎｅ１を備えるひだを有し、及び／又は
ｂ）前記弾性積層体部分（１０）が、ひだ密度Ｄｗ（１ｃｍ当たりのひだ）を有し、前記第１領域（１）が、０若しくはＤｗの５０％未満のひだ密度Ｄｗｚｏｎｅ１を有する、使い捨て吸収性物品。
【請求項３】
請求項１及び２に記載の吸収性物品。
【請求項４】
前記弾性積層体部分（１０）が、εを超える最大伸びεｚｏｎｅ３を有する（Ｘ−Ｙ方向の）第３領域（３）を含み、前記第１領域（１）が、（Ｘ−Ｙ方向において）前記第２領域と第３領域（３）の間に位置決めされる、請求項１〜３のいずれか一項に記載の吸収性物品。
【請求項５】
前記物品が、股部区域、前側腰部区域及び後側腰部区域を有し、前記第１領域（１）が前記物品の前記股部区域内に位置決めされる、請求項１〜４のいずれか一項に記載の吸収性物品。
【請求項６】
成人、幼児又は乳幼児のおむつであって、前記物品が、少なくとも２つの前記構成要素を含み、前記少なくとも２つの構成要素の両方が、前記吸収性物品のレッグカフ又はバリアカフである、請求項１〜５のいずれか一項に記載の吸収性物品。
【請求項７】
前記支持体シートが、１つ以上のスパンボンド不織布層及び１つ以上のメルトブローン不織布層を含む不織布積層体である、請求項１〜６のいずれか一項に記載の吸収性物品。
【請求項８】
前記構成要素が、２００％伸びで１．６Ｎ以下の第１負荷力を有し、２００％伸びで０．５Ｎ以上の第２無負荷力を有するような力特性を有する、請求項１〜７のいずれか一項に記載の吸収性物品。
【発明の詳細な説明】
【技術分野】
【０００１】
この発明は、第１方向、例えば、ｙ−方向に沿った伸び（伸張）を有する弾性積層体（１０）である、若しくは部分的に弾性積層体（１０）である、又は弾性積層体（１０）を含む構成要素、支持体シート及び弾性材（１２）並びに異なる最大伸びを有する領域（１、２）及び／又は異なるひだ高さ及び／又はひだ密度を有する領域（１、２）を備え、そのため、殆ど又は全く圧力跡を生じず、主に全体的に良好な力特性が維持される１つ以上の領域（１）が製作され、優れた性能を有する吸収性物品の着用を快適にする吸収性物品に関する。
【背景技術】
【０００２】
幼児おむつ、トレーニングパンツ及び成人用失禁衣類等の吸収性物品は、典型的に物品からの排出物の漏れを減少させるため弾性レッグカフ及び／又はバリアカフを備える。多くの場合、それらは、着用者が動いているときのフィット性と快適さを改善するため伸張性のウエストバンドも備える。ある種類の糞便分離のためのおむつは、弾性バンドに沿って大きい開口部を有するトップシートを（も）備え、ユーザーの肛門に対するトップシート及び開口部の正確な位置合わせを確実にし、それによりトップシートの下の糞便の最適な受容と分離を確実にする。
【０００３】
前記物品のこれらの伸張性部分は、典型的に弾性材を伸張状態でシートに取り付けることにより得られるプラスチックフィルム又は不織布材等の非弾性シートに取り付けられる弾性材の積層体を備える。従って、生じた積層体は、非伸張圧縮状態及び部分的に伸張した状態でひだを形成するシート材の余剰を備える。
【０００４】
おむつのそのような伸張性部分は、皮膚に対する弾性部分の圧力及び／又は皮膚をおおうひだのある伸張性部分の摩擦により使用中快適でない場合がある。
【０００５】
本発明者らは、例えユーザーが、伸張性部分が快適でない経験をしなくても、伸張性部分に起因する赤い皮膚の跡は、ケアテーカーによりユーザーに心地良くないと知覚される場合が依然としてあることも見出した。
【０００６】
本発明者らは、使用中最も過酷な問題がユーザーの敏感な部分、例えば生殖器近くの圧力跡であることも見出した。驚いたことに、本発明者らは、生殖器近くの皮膚の圧力跡が減少すれば、おむつがより心地良くなる（であることが認識される）ことを見出した。
【発明の開示】
【発明が解決しようとする課題】
【０００７】
本発明者らは、吸収性物品（おむつ）に僅かな伸張性又は伸張性を全く有しない（小さい）領域を有し、使用中これら敏感な領域に対応し、より高い伸張性を有するより大きい領域を有する弾性部分、例えば伸張性のレッグカフを付与することにより、依然として優れた弾性特性と性能を保持しながら、同時に圧力跡を高度に減少させ又は無くし、使用中より心地良い吸収性物品（例えば、おむつ）が得られることを見出した。
【課題を解決するための手段】
【０００８】
発明は、支持体シートに取り付けられる弾性材（１２）である弾性積層体部分（１０）を有する構成要素を備える使い捨て吸収性物品であって、前記構成要素及び弾性積層体部分（１０）が弾性的に第１の方向（例えば、ｙ−方向）に伸張可能であり、前記弾性積層体部分（１０）が、絶対収縮長さＬｃ及び完全伸張絶対長さＬｓを有し、前記弾性積層体部分（１０）が、少なくとも０．６又は好ましくは少なくとも０．８の最大伸びεで伸張でき、
絶対収縮長さＬｃｚｏｎｅ１、絶対伸張長さＬｓｚｏｎｅ１及びεの５０％未満の最大伸びεｚｏｎｅ１を有する第１領域（１）、絶対収縮長さＬｃｚｏｎｅ２、絶対伸張長さＬｓｚｏｎｅ２及びεを超える最大ｙ−方向伸びεｚｏｎｅ２を有する第２領域（２）、少なくとも２ｃｍの完全収縮長さＬｃｚｏｎｅ１及びＬｃｚｏｎｅ２を有する前記第１領域（１）及び第２領域（２）を含む異なる最大伸びを備える（ｙ−方向）領域（１、２）を有する、使い捨て吸収性物品、好ましくはおむつ、トレーニングパンツ又は成人用失禁衣類に関する。
【０００９】
又、発明は、支持体シートに取り付けられる弾性材（１２）である弾性積層体部分（１０）を有する構成要素を備える使い捨て吸収性物品であって、前記構成要素及び弾性積層体部分（１０）が弾性的に第１の方向（例えば、ｙ−方向）に伸張可能であり、前記弾性積層体部分（１０）が、完全伸張絶対長さＬｓ及び絶対収縮長さＬｃを有し、前記弾性積層体部分（１０）が、少なくとも０．６又は好ましくは少なくとも０．８の伸びεで伸張でき、
絶対収縮長さＬｃｚｏｎｅ１、絶対伸張長さＬｓｚｏｎｅ１及び最大ｙ−方向伸びεｚｏｎｅ１を有する少なくとも第１領域（１）、絶対収縮長さＬｃｚｏｎｅ２、絶対伸張長さＬｓｚｏｎｅ２及び最大伸びεｚｏｎｅ２を有する第２領域（２）、前記第１領域（１）及び前記第２領域（２）のそれぞれが少なくとも２ｃｍの完全収縮長さＬｃｚｏｎｅ１を有し、前記第１領域（１）及び第２領域（２）を含む異なる最大伸びの領域（１、２）（ｙ−方向）を有し、ε＝０．５の部分的な伸びで
ａ）前記弾性積層体部分（１０）が、平均ひだ高さ（ｚ−方向）Ｈｗを備えるひだを有し、前記第１領域（１）が、ひだを有しないか若しくはＨｗの５０％未満の平均ひだ高さＨｗｚｏｎｅ１を備えるひだを有し及び／又は
ｂ）前記弾性積層体部分（１０）が、ひだ密度Ｄｗ（１ｃｍ当たりのひだ）を有し、前記第１領域（１）が、０若しくはＤｗの５０％未満のひだ密度Ｄｗｚｏｎｅ１を有する、使い捨て吸収性物品に関する。
【００１０】
好ましくは、弾性積層体部分（１０）は、少なくとも３つの領域（１、２、３）を備え、第１領域（１）は、第２領域（２）と第３領域（３）の間に位置決めされる（伸張の方向）。第１領域（１）は、物品の股部区域内又は物品の前側５０％内に位置決めされてよい。第２領域（２）の収縮長さは、第１領域（１）の収縮長さを超えてよい。所望により弾性積層体部分は、１．５ｃｍ長さ、好ましくは１．０ｃｍ長さ未満の取付け部分（４）を長手方向末端部のいずれか又は両方に含んでよく、弾性積層体部分は、例えば第１領域（１）のような減少した伸び可能性を有する。
【発明を実施するための最良の形態】
【００１１】
「吸収性物品」は、液体を吸収及び／又は包含する着用出来るデバイスを指し、より具体的には、着用者の身体に対して又は近接して定置され身体から排泄される種々の排出物を吸収及び包含するデバイスを指す。本明細書で使用するとき、用語「おむつ」は、幼児及び失禁症状のある人により一般に下部胴体まわりに着用される吸収性物品を指す。
【００１２】
本明細書で使用するとき、「ｙ−方向」伸び又は伸張は、構成要素又は積層体部分（１０）が、おおむね平均方向、すなわち本明細書においては「ｙ−方向」と呼ぶ、に伸び又は伸張を有することを意味する。これは、構成要素若しくは弾性積層体部分（１０）の長手軸又はそれに平行な線の４５度以内であってよい。
【００１３】
「絶対完全伸張長さ」は、本明細書で詳述したように前記構成要素又は部分（１０）をｙ−方向にその最大長さに伸張するときの構成要素又は弾性積層体部分（１０）の長さである。
【００１４】
「絶対収縮長さ」は、伸張力がそれに加えられていないとき、例えば、それが表面で平らな緩和された状態にあるときの構成要素又は弾性積層体部分の長さである。
【００１５】
「ｚ−方向」は、ｙ−方向と垂直で、実質的にひだ高さの方向であり、ここでは高さ又は厚さ寸法と呼ばれる。
【００１６】
「ｘ−方向」は、ｘ−及びｙ−方向の両方と垂直である。
【００１７】
本明細書で使用するとき、用語「空隙間隔」は、物品の少なくとも緩和状態で存在する糞便物等の排泄物を受容し包含するため所定の大きさにつくられた空洞である。
【００１８】
本明細書で使用するとき、「弾性」とは、前記品目がある方向に力を加えることにより延伸又は伸張可能であり、ある方向のその元の長さの少なくとも８０％であるが１５０％未満、典型的にはおおよそ元の寸法に伸張力を解放後戻ることを意味する。
【００１９】
本明細書で使用するとき、「沿って」とは、少なくとも部分的に平行及び隣接又は更に接触を意味する。
【００２０】
本明細書で使用するとき、「取り付けられた」とは、「直接取り付けられた」及び「間接的に取り付けられた」を含む。
【００２１】
本明細書に値が規定されている特定の特性又は寸法によって規定されている各実施形態には、機能的に同等の特性又は寸法を備えている実施形態が含まれると理解すべきである。例えば０．５ｃｍの寸法は、「約０．５ｃｍ」を意味すると理解すべきである。
【００２２】
発明の使い捨て吸収性物品は、生理用ナプキン、パンティライナー、おむつ、すなわち成人用失禁衣類、乳幼児若しくは幼児おむつ（図１〜５に示したような）又はトレーニングパンツ若しくはプルアップパンツであってよい。物品は、弾性積層体部分（１０）を有する構成要素並びに典型的に少なくともバックシート（２１）、吸収性コア及びコアカバー又はトップシート（２０）を有する追加の構成要素を備える。
【００２３】
発明の吸収性物品は、弾性材（１２）及び支持体シート材から形成される少なくとも１つの弾性積層体部分（１０）を含む少なくとも１つの構成要素を備え、それ自身は典型的に弾性的に伸張性でなく、前記弾性積層体部分（１０）は、図に示すように第１方向、例えばｙ−方向又は前記第１又はｙ−方向に沿ってだけ少なくとも伸張（伸び）を有する。従って、発明は、それぞれが前記積層体部分（１０）から構成される１つ以上の構成要素を含む吸収性物品及び（それぞれが）１つ以上のそのような異なる又は別個の積層体部分（１０）を含む１つ以上の構成要素を備える物品を具現する。
【００２４】
吸収性物品の構成要素が前記弾性積層体部分（１０）を含む又は前記弾性積層体部分（１０）から構成される例えばレッグカフ（２５）若しくはバリアカフ（２６）である場合、レッグカフ（２５）又はバリアカフ（２６）及び前記積層体部分（１０）のｙ−方向は、典型的にｙ−方向及び物品のｙ−軸に実質的に平行又は平均して平行である。弾性積層体部分（１０）を有する本明細書の構成要素がウエストバンド（２４）の場合、前記ウエストバンド（２４）及びその弾性積層体部分（１０）の長手又はｙ−方向は、物品のｙ−方向の方向と垂直であってよい。
【００２５】
更に、それぞれの前記構成要素は、１つ以上の前記積層体部分（１０）を含んでよく、その各々は、本明細書に示すようにその領域（１、２）、長さ及び伸びが同一であってもよく、又はそれと異なる領域（１、２）、長さ及び伸びを有していてもよい。
【００２６】
構成要素は、支持体シート、弾性材（１２）及び所望により取り付け手段から構成されてよいが、それは追加の要素を含んでもよい。支持体シートは、単一シートであってもよく、それは、１つ以上のシート又は層を含んでもよく、例えばそれは、層の積層体であってもよい。支持体シート自身が伸張の第１方向、例えばｙ−方向に弾性的に伸張性でない、又は任意の方向に弾性的に伸張性でないことが好ましい場合もある。
【００２７】
好ましい実施形態において、前記構成要素は、以下の明細書により詳細に記載するように発明の吸収性物品のウエストバンド（２４）、レッグカフ（２５）又はバリアカフ（２６）である。だが、本発明の弾性積層体部分（１０）は、吸収性物品に、又は吸収性物品の他の部分として有用であってもよい。前記物品は、少なくとも２つのそのように異なる及び別々の構成要素、例えばそれぞれが弾性積層体部分（１０）を含む又は弾性積層体部分（１０）から構成される状態の一対のレッグカフ（２５）を備えてよい。
【００２８】
当発明の好ましい使い捨て吸収性物品は、図１〜５に示すような液体透過性コアカバーシート又はトップシート（２０）、液体不透過性バックシート（２１）、好ましくは少なくともコアカバーシートの部分とバックシート（２１）の間に好ましくは位置決めされる吸収性コア、弾性サイドパネル（２７）、弾性レッグカフ（２５）、弾性バリアカフ（２６）、弾性ウエスト構造部（２４）、及び締着装置（２８）を備えるおむつである。図１、２及び３に示す前記物品は、第１腰部区域、第１腰部区域に対向する第２腰部区域、及び第１腰部区域と第２腰部区域の間に位置決めされる股部区域を有し、それぞれが前記物品の長さの約１／３である。
【００２９】
好ましい実施形態において、バックシート（２１）は、液体（例えば、尿）に対して不透過性であり、約０．０１２ｍｍ（０．５ミル）〜約０．０５１ｍｍ（２．０ミル）の厚さを有する熱可塑性フィルム等の薄いプラスチックフィルムを含む。好適なバックシートフィルムとして、インディアナ州テレホート（Terre Haute, IN）のトレデガー・インダストリーズ社（Tredegar Industries Inc.）により製造され、商品名Ｘ１５３０６、Ｘ１０９６２、及びＸ１０９６４で販売されているものが挙げられる。他の好適なバックシート材としては、蒸気が前記物品から漏れるのを可能にし、更に排出物がバックシートを通過するのを防止する通気性材料を挙げることができる。代表的な通気性材料としては、織布ウェブ、不織布ウェブ、フィルムコーティング不織布ウェブ等の複合材料、名称「エスポワール（ESPOIR）ＮＯ」のもとに日本のミツイ・トーアツ社（Mitsui Toatsu Co.）及び名称「エクサイヤー（EXXAIRE）」のもとにテキサス州ベイシティー（Bay City）のエクソンケミカル社（Exxon Chemical Co.）により製造されるようなミクロ孔質フィルム並びに名前ハイトレルブレンド（HYTREL blend）Ｐ１８−３０９７のもとにオハイオ州シンシナティ（Cincinnati）のクロペイ社（Clopay Corporation）により製造されるようなモノリシックフィルム等の材料を挙げることができる。幾つかの通気性複合材料が、ＰＣＴ国際公開特許ＷＯ９５／１６７４６号（Ｅ．Ｉ．デュポン（E. I. DuPont）、１９９５年６月２２日公開）、米国特許番号第５，９３８，６４８号（ラボン（LaVon）ら、１９９９年８月１７日発行）、米国特許番号第５，８６５，８２３号（クーロ（Curro）、１９９９年２月２日発行）、及び米国特許番号第５，５７１，０９６号（ドブリン（Dobrin）ら、１９９６年１１月５日発行）により詳しく記載されている。
【００３０】
前記物品の別の部分又は構成要素が、当該技術分野で既知の任意の手段により互いに対して取り付けられてよい。例えば、取付け手段としては、接着剤の均一な連続層、接着剤のパターン付き層、又は接着剤の個々の線、らせん、若しくは点の配列を挙げることができる。好適な取付け手段としては、米国特許第３，９１１，１７３号（スプラグ（Sprague）Ｊｒ．、１９７５年１０月７日発行）、同第４，７８５，９９６号（ツアイカー（Ziecker）ら、１９７８年１１月２２日発行）及び同第４，８４２、６６６号（ウエレニッツ（Werenicz）、１９８９年６月２７日発行）に示される装置及び方法により示されるような螺旋模様に旋回させる接着剤フィラメントのいくつかの線が挙げられる。満足のいくものであることが判明した接着剤は、ミネソタ州セントポールのＨ．Ｂ．フラー社（H.B.Fuller Company）によって製造され、ＨＬ−１６２０及びＨＬ１３５８−ＸＺＰとして市販されている。あるいは、取付け手段は、熱ボンド、圧力接着、超音波接着、動的機械的結合、若しくは当該技術分野で既知の他の好適な取付け手段、又はこれら取付け手段の組み合わせを含んでもよい。
【００３１】
コアカバーシート又はトップシート（２０）は、着用者の皮膚に対して適合し、柔らかい感触で、刺激がないのが好ましい。更に、コアカバーシートの少なくとも一部は、液体透過性であり、液体を吸収性コアにより下に吸収できる。好適なコアカバーシートは、多孔質発泡体類、網状発泡体類、有孔のプラスチックフィルム類、又は天然繊維（例えば、木材又は綿繊維）、合成繊維（例えば、ポリエステル又はポリプロピレン繊維）若しくは天然及び合成繊維の組合せの織布材若しくは不織布材等の広範囲の材料から製造できる。コアカバーシートが繊維を含む場合、繊維は、スパンボンド、毛羽立てられた、湿式、メルトブローン、水流交絡又は当該技術分野において既知のような別の方法であってよい。
【００３２】
部分又はコアカバーシートは、疎水性材料で作製されてよく、又は着用者の皮膚を吸収性コアに包含された液体から分離するため疎水性であるよう処理されるが、その後コアカバーシートの少なくとも上側表面の部分は、例えば界面活性剤でそれを処理するか又は界面活性剤をコアカバーシートに組み込むことにより液体がシートを通ってより早く移動することになるよう親水性であるように処理される。このような処理及び親水性のより詳細な論考は、米国特許第４，９８８，３４４号、名称「多層吸収性層を有する吸収性物品（Absorbent Articles with Multiple Layer Absorbent Layers）」（レイシング（Reising）ら、１９９１年１月２９日発行）、及び米国特許第４，９８８，３４５号、名称「急速獲得吸収性コアを有する吸収性物品（Absorbent Articles with Rapid Acquiring Absorbent Cores）」（レイシング（Reising）、１９９１年１月２９日発行）に盛り込まれている。界面活性剤をコアカバーシートに組み込む幾つかの好適な方法のより詳細な議論は、米国法的発明登録番号Ｈ１６７０（アジズ（Aziz）ら、１９９７年７月１日公開）において見出すことができる。
【００３３】
あるいは、コアカバーシートとしては、疎水性である有孔ウェブ又はフィルムを挙げることができる。これは、製造プロセスから親水性化処理工程を取り除くことにより及び／又は以下で記載するようなスコッチガード（SCOTCHGUARD）様のポリテトラフルオロエチレン（polytetraflouroethylene）化合物又は疎水性ローション組成物等の疎水性処理をコアカバーシートに適用することにより達成できる。そのような実施形態では、開口は、尿のような水性流体が著しい抵抗を受けることなく浸透できるように、十分大きいことが好ましい。
【００３４】
本明細書に記載したカフ（２４、２６）、コアカバーシート又はトップシート（２０）の任意の部分が、当該技術分野において既知のローションでコーティングされてもよい。好適なローションの例としては、米国特許番号第５，６０７，７６０号、名称「皮膚軟化剤を含有するローション化トップシートを有する使い捨て吸収性物品及びポリオールポリエステル固定化剤（Disposable Absorbent Article Having A Lotioned Topsheet Containing an Emollient and a Polyol Polyester Immobilizing Agent）」（ロー（Roe）、１９９７年５月４日発行）に記載されたものが挙げられる。ローションは、単独で又は以上に記載された疎水性化処理剤のような別の剤と組み合わせて作用することができる。コアカバーシート及び／又はトップシート（２０）は、抗菌剤も含み又は抗菌剤で処理されてもよく、その幾つかの例が、ＰＣＴ国際公開特許ＷＯ９５／２４１７３、名称「臭い防止のためトップシート内に抗菌剤を含有する吸収性物品（Absorbent Articles Containing Antibacterial Agents in the Topsheet For Odor Control）」（テレサ・ジョンソン（Theresa Johnson）、１９９５年９月１４日公開）に開示されている。
【００３５】
吸収性コアは、ほぼ圧縮性であり、順応性があり、着用者の皮膚に刺激がなく、並びに尿及び他のある種の身体排出物などの液体を吸収して保持できる、いかなる吸収性材料を含んでもよい。吸収性コアは、広範囲の寸法及び形状（例えば、長方形状、砂時計、「Ｔ」形状、非対称等）で製造でき、一般にエアフェルトと呼ばれる粉砕木材パルプ等の通常使い捨ておむつ及び他の吸収性物品に使用される広範囲の液体吸収性素材及び好ましくは少なくとも超吸収性ポリマー若しくは吸収性ゲル材料又は任意の他の既知の吸収材料若しくは材料の組合せを含んでよい。
【００３６】
物品は、物品の周囲に横方向の張力を付与しそれを着用者に保持するような構成に第１腰部区域及び第２腰部区域を保持する締着装置（２８）を含んでよい。締着装置（２８）は、任意の他の既知の締結手段が一般に許容できるが、テープ状ひも、フック及びループ締結構成要素並びに／又は両性の締結構成要素等の好ましくは表面締結具を含む。代替の実施形態では、物品の対向する側面を縫い合わせるか、又は溶着させて、パンツを形成してもよい。このため、物品はプルオン型おむつ又はトレーニングパンツとして使用できる。本明細書で使用する時、用語「トレーニングパンツ」は幼児又は成人の着用者向けにデザインされた固定された側面と足部開口部を有する使い捨て衣類を指す。トレーニングパンツ（当該技術分野において「プルオン」製品とも呼ばれる）は、着用者の足を足部開口部に挿入し、トレーニングパンツを着用者の胴体下部の周囲の位置へと滑らせることにより、着用者の上の適所に配置される。好適なトレーニングパンツが、米国特許番号５，２４６，４３３号（ハッセ（Hasse）ら、１９９３年９月２１日発行）、同第５，５６９，２３４号（ブエル（Buell）ら、１９９６年１０月２９日発行）、同第６，１２０，４８７号（アッシュトン（Ashton）２０００年９月１９日発行）、同第６，１２０，４８９号（ジョンソン（Johnson）ら、２０００年９月１９日発行）、同第４，９４０，４６４号（ファン・ゴンペル（Van Gompel）ら、１９９０年７月１０日発行）及び同第５，０９２，８６１号（ノムラ（Nomura）ら、１９９２年３月３日）に開示されている。
【００３７】
伸張性又は延伸性があるサイドパネルは、物品の側部を伸張及び収縮できるので最初に着用者に物品を心地よくフィットさせ、それが排出物の負荷を受けたときに十分に経過した着用の時間を通してこのフィット性を維持することによりより心地よい及び外形に合わせたフィット性を提供する好ましくは弾性又は非弾性的延伸性であるサイドパネル（２７）も含んでよい。前記サイドパネル（２７）は、本明細書に記載したような弾性積層体部分（１０）を有する構成要素であってもよい。
【００３８】
物品は、バリアカフ（２６）及び／又はレッグカフ（２５）を含んでもよく、それが液体及び他の身体排出物の改善された格納を提供する。前記レッグカフ及び／又はバリアカフは、それぞれ、本明細書で以下に記載するように、弾性積層体部分（１０）を有する構成要素（類）であってもよい。
【００３９】
弾性積層体部分（１０）を有する構成要素
本明細書で弾性積層体部分（１０）を含む又は弾性積層体部分（１０）から構成される（弾性積層体部分であるか、もしくは部分的に弾性積層体部分である）構成要素は、ｘ−方向、ｙ−方向、及びｚ−方向を有し、前記弾性積層体部分（１０）及び構成要素は、第１方向、例えばｙ−方向に弾性伸張又は伸びを有する。簡潔には、ｙ−方向の構成要素寸法は、本明細書では、「長さ」と呼ばれ、それと垂直で構成要素の平面内にある寸法は、ｘ−方向及び幅と呼ばれ、長さ及び幅と垂直な寸法は、ｚ−方向、高さ、キャリパー又は厚さと呼ばれる。だが、「長さ」は、構成要素の最長寸法である必要はなく、それは、伸張の平均方向の構成要素の単なる寸法であってもよい。例えば、ウエストバンド、レッグカフ、バリアカフである本明細書の構成要素の場合、ｙ−方向、従って弾性伸び又は伸張を得るため加えられる力の方向は、又、典型的に構成要素の最長寸法であるが、例えば、弾性サイドパネルである本明細書の構成要素の場合、ｙ−方向は伸張又は伸びの方向であるが、最長寸法はｘ−方向であってもよい。
【００４０】
弾性積層体部分（１０）は、本明細書で以下に画定するような異なる最大伸びを有する及び／又は本明細書で画定するような異なるひだ密度及び／又は異なるひだ高さを有する少なくとも２つの領域（１、２）を有する。前記各領域は、以下の試験方法から理解できるように前記領域の伸張した長さ及び伸びを得るため少なくとも２ｃｍである。
【００４１】
前記領域は、支持体シートに前記弾性材の１つ以上の他の領域より大きい伸びを有する弾性材の１つ以上の領域を取り付けることにより得ることができる。
【００４２】
弾性積層体部分（１０）は、図１５に示すように湾曲した直線であってもよく、図１〜５及び１３で見ることができるような互いに対してある角度で接合される幾つかの直線部分を含んでもよく、又はそのような構成の組合せであってもよい。本明細書において、これは、それぞれ「直線の」、「湾曲した」若しくは「角度を付けた」弾性積層体部分（１０）又は例えば、「湾曲した」若しくは「角度を付けた」弾性積層体部分（１０）等と呼ばれる。
【００４３】
弾性積層体部分（１０）は、絶対収縮長さＬｃを有し、以下のように決定される。
【００４４】
弾性積層体部分（１０）を有する構成要素が吸収性物品から取り除かれ、そのため弾性特性は変化しない。
【００４５】
構成要素は、それにいかなる伸長力も加えないようにできるだけ平らにして表面に定置する。その後、構成要素の弾性積層体部分（１０）の絶対収縮長さを測定する。これが、本明細書において積層体の絶対収縮長さＬｃと呼ばれる。
【００４６】
弾性積層体部分（１０）は、完全伸張絶対長さＬｓを有し、弾性積層体部分（１０）は、本明細書で画定したような異なる伸びの領域（１、２）を有し、そしてそれは、以下の方法で検出でき、そして更にその各領域（１、２）は、収縮された絶対長さＬｃｚｏｎｅ１、・・・・ｘ及び完全伸張絶対長さＬｓ、Ｌｓｚｏｎｅ１・・・・ｘも有するが、それは以下に記載した方法、及び「方法」の項により、すなわち以下のように決定できる。
【００４７】
１）弾性積層体部分（１０）が直線の場合
非常に精巧なマーカーペンで積層体部分（１０）（上記で詳述したような収縮、例えば緩和状態）に２ｃｍ長さ区間のしるしをつけ、ｙ−軸に沿って多数の２ｃｍ長さ区間及びおそらくは２ｃｍ未満の１つの区間をもたらす。
【００４８】
次に、以下の方法で詳述するように積層体部分（１０）全体を伸長し、その結果最大又は完全伸張長さを得、そこで、この絶対の完全伸張長さを次に測定し、それが本明細書でＬｓと呼ばれる。次に、最大伸びも、ε＝（Ｌｓ−Ｌｃ）／Ｌｃにより決定できる。
【００４９】
同様に、上記方法に提供され伸長された上記各区間の長さを測定する。
【００５０】
各区間の伸びは、上記のように決定されてよい、例えば
εｓｅｃｔｉｏｎ１＝（Ｌｓｓｅｃｔｉｏｎ１−２ｃｍ）／２ｃｍ
本明細書で定義したように、積層体部分（１０）は、εの５０％未満の伸びを有する本明細書で第１領域と呼ばれる少なくとも１つの区間を有する。典型的に、それはεの５０％未満の伸びを有する少なくとも２つの連続した区間を有し、それが一緒に第１領域（１）を形成する。
【００５１】
続いて、領域が位置決めでき、収縮長さＬｃｚｏｎｅ１が決定でき（例えば、２ｃｍ又は２×２ｃｍ）、前記第１領域の完全伸張絶対長さＬｓｚｏｎｅ１が決定でき（例えば、２．５ｃｍ又は２×２．２ｃｍ＝４．４ｃｍ）及び第１領域の伸びεｚｏｎｅ１が上記のように計算できる。
【００５２】
εを超える伸びを有する区間は、本明細書で第２領域（２）と呼ばれ、εを超える伸びを有する連続した区間がある場合、それらは一緒に第２領域（２）を形成する。前記第２領域（２）の場合、Ｌｃｚｏｎｅ２が決定でき（例えば、２ｃｍ若しくは２×２ｃｍ又は２×２ｃｍ）及び上記のように前記第２領域の完全伸張絶対長さＬｓｚｏｎｅ１が決定でき（例えば、４ｃｍ、又は２×３．６ｃｍ＝７．２ｃｍ）また第１領域の伸びεｚｏｎｅ１が上記のように計算できる。
【００５３】
第１領域（１０）の異なる側面（ｙ−方向）に配置されるεを超える伸びを有する区間は、本明細書で異なる領域、例えば第２及び第３領域（２、３）と呼ばれる。
【００５４】
２）弾性積層体部分（１０）が「角度付け」られている場合
積層体部分が、精巧なマーカーペンでしるしを付けることにより直線部分（すなわち角度間に）、例えば図３及び１３で見ることができるように３つの直線部分に分割される。
【００５５】
収縮絶対長さＬｃは、積層体部分（１０）の直線部分の収縮長さを積算することにより得られる（例えば、それが２つの角度で互いに接続される３つの直線部分を含む場合、３つの部分（１０）の収縮絶対長さが測定され積算される）。
【００５６】
そして、それぞれの直線部分が精巧なマーカーペンで２ｃｍ長さの区間及びおそらく２ｃｍ未満の区間に分割される。続いて、各直線部分が伸長される。積層体部分Ｌｓの完全伸張絶対長さは、積層体部分（１０）の直線部分の完全伸張長さを積算することにより得られる。直線積層体部分（１０）に関する上記で詳述した方法に従い、各直線部分の各区間（例えば、２ｃｍの元の収縮した長さの）の伸び及び伸張した長さを決定し、続いて第１領域（１）、第２領域（２）及び所望により更なる領域（３．．．）を位置決めし、その長さ及び伸びを決定できる。
【００５７】
３）弾性積層体部分（１０）が湾曲している場合
湾曲した弾性積層体部分（１０）が、精巧なマーカーペンで２ｃｍ絶対長さの区間及びおそらく１つの残りのより短い長さの区間に分割される。
【００５８】
各区間は、２ｃｍ離れた２つの横断方向縁線を有し、各横断方向縁線は中心点を有する。線が、前記２つの横断方向縁線の前記２点を通って引かれてよい。これが「ｙ−方向線」ということになり、それに沿って以下の方法で力が加えられ前記区間を伸張することになる。これが各区間について行われる。従って、各区間の完全伸張長さ及びその伸びを決定できる。
【００５９】
全ての区間を伸張した後、各区間の完全伸張した絶対長さが測定される。次に、積層体部分の完全伸張長さは異なる区間のこれらの値を積算することにより計算できる。
【００６０】
そして、上記で詳述したように第１及び第２領域（１、２）を位置決めでき、それらの完全伸張長さ及び伸びを上記で詳述したように決定できる。
【００６１】
４）混合弾性積層体部分
弾性積層体部分（１０）が、湾曲した、角度付けした及び／又は直線部分を含む場合、上記方法の組合せがそれに応じて適用される。
【００６２】
弾性積層体部分（１０）は、（例えば実質的にｙ−方向）少なくとも０．６、好ましくは少なくとも０．８、更により好ましくは少なくとも１．０、更により好ましくは少なくとも１．２、又は少なくとも１．４であってよい伸びε（最大）を有する。
【００６３】
弾性積層体部分（１０）は、少なくとも２つの領域（１、２）、第１領域（１）と第２領域（２）を有し、及び好ましくは図６〜８から見ることができるようなこのｙ−方向に異なる程度の最大伸び可能性及び／又は異なるひだ高さ及び／又は異なるひだ密度を有し、それぞれが収縮（緩和）状態で少なくとも２ｃｍである更なるｙ−方向の領域（第３領域（３）、第４領域等）を有する。
【００６４】
弾性積層体部分（１０）は、一方又は両長手方向末端部に取付け部分（４）を備え、そこでは、弾性材が支持体シートに取り付けられ、いかなるひだもなくてよく、０．２未満、更に０の伸びを有する。これらの取付け領域は、典型的に非常に小さく、２ｃｍ未満、典型的に１．５ｃｍ未満、更に１ｃｍ未満又は更に０．５ｃｍ未満の長さを有する。だが、本明細書における他の実施形態において、いかなるそのような取り付け部分（４）もそのいずれの長手方向末端部に形成されないように弾性積層体部分が支持体シートに取り付けられる。
【００６５】
第１実施形態において、各領域（１、２）は、完全伸張絶対長さ（Ｌｓｚｏｎｅ１、Ｌｓｚｏｎｅ２、Ｌｓｚｏｎｅ３等）、収縮絶対長さ（Ｌｃｚｏｎｅ１、Ｌｃｚｏｎｅ２、Ｌｃｚｏｎｅ３等）及び最大伸びεｚｏｎｅ１、εｚｏｎｅ２、εｚｏｎｅ３等）を有し、以下のように決定される。各領域についてεｚｏｎｅ１＝（Ｌｓｚｏｎｅ１−Ｌｃｚｏｎｅ１／Ｌｃｚｏｎｅ１）など、それにより前記値が上に詳述したように得られる。
【００６６】
第１実施形態において、第１領域（１）は、弾性積層体部分（１０）全体の平均伸びεよりずっと小さい最大伸びεｚｏｎｅ１を有する、従って第２領域（２）は、最大伸びεｚｏｎｅ２を有し、それは全体として弾性積層体部分（１０）の平均伸びεを超える。これが更に図に示されている。ここで第１領域（１）は、以下のように１ａ、１ｂ又は１ｃとして示される、すなわち収縮状態の弾性積層体部分（１０）の第１領域（１）は１ｃとして示され、部分的に伸張状態の弾性積層体部分（１０）の第１領域（１）は１ｂとして示され、第１領域（１）の弾性材は１ａとして示される。同様のことが第２及び第３領域（２、３）及び対応する数２ａ、２ｂ、２ｃ及び３ａ、３ｂ、３ｃに適用される。
【００６７】
典型的に、εｚｏｎｅ１は、εの５０％未満、好ましくは更にεの４０％未満、更により好ましくはεの３０％未満若しくは更にεの２０％未満、又は好ましい実施形態において、第１領域（１）は、伸びのない可能性を有し、εｚｏｎｅ１は０である。後者は、図５及び８で見ることができ、そこでは、第１領域（１）は、収縮状態（１ｃ）のひだを有さず、伸びの可能性を有しない。
【００６８】
本明細書における弾性積層体部分（１０）は、少なくとも収縮状態及び部分的な伸張状態（伸び＝０．５）で支持体シート材から形成されるひだを有する。
【００６９】
第１領域（１）において、ひだの平均ひだ高さは、第２（及び所望により又は好ましくは第３）領域（２、３）及び全体として（平均で）弾性積層体部分（１０）の平均ひだ高さより小さくてよい。
【００７０】
当発明の１つの実施形態において、吸収性物品は、伸びε＝０．５（本明細書に記載した方法により決定されるような）で平均ひだ高さ（Ｈｗ）を有し、第１領域（１）が、この実施形態において、Ｈｗの５０％未満、好ましくはＨｗの３０％未満若しくは２０％未満、又は更に１０％Ｈｗ未満の平均ひだ高さＨｗｚｏｎｅ１を有し、又は第１領域（１）がひだを全く有しない（Ｈｗｚｏｎｅ１が約０）弾性積層体部分（１０）を備える構成要素を含む。
【００７１】
第２領域（２）は、典型的に少なくとも１．１Ｈｗ、より好ましくは少なくとも１．２Ｈｗ、より好ましくは少なくとも１．３Ｈｗ又はより好ましくは少なくとも１．３５Ｈｗの平均ひだ高さＨｗｚｏｎｅ２を有する。
【００７２】
Ｈｗは、例えば６００μ〜１，０００μ、又は例えば８５０μであってよく、Ｈｗｚｏｎｅ１は、３００μ以下、より好ましくは２００μ以下、又は更に約０であってよい。Ｈｗｚｏｎｅ２は、好ましくは７００〜１，２００μ、又は７５０〜１，０００μであってよい。
【００７３】
他の実施形態において、又は更に、平均ひだ密度（縦１ｃｍ当たりのひだの量）は、第１領域（１）のおいて第２領域（２）（及び例えば第３領域（３））より小さく、全体として弾性積層体部分（１０）の平均ひだ密度より小さい。
【００７４】
積層体部分（１０）は、０．５の伸びεでひだ密度Ｄｗ（１ｃｍ当たりのひだ）を有してよく、第１領域（１）は、０．５の伸びεでＤｗの５０％未満、好ましくはＤｗの３０％未満、更にＤｗの２０％未満若しくは１０％未満、又は更にひだが全くない、すなわちひだ密度が約０のひだ密度Ｄｗｚｏｎｅ１を有する。
【００７５】
典型的に、０．５のこの伸びでＤｗは、１ｃｍ当たり少なくとも７．５ひだである。Ｄｗ１は、１ｃｍ当たりひだが５ケ以下、１ｃｍ当たりひだが３以下又は更にひだが０であってもよい。
【００７６】
第２領域（２）は、第１領域（１）の平均ひだ密度及び弾性積層体部分（１０）の平均ひだ密度を超える平均ひだ密度を有し、好ましくは少なくとも１．１である。Ｄｗは、より好ましくは少なくとも１．２Ｄｗ、更により好ましくは少なくとも１．２５Ｄｗである。
【００７７】
好ましい実施形態において、第１領域（１）は、使用中生殖器に最も隣接する皮膚領域と接触して位置決めされる、典型的に、それは図５に示すように物品の前側５０％内、又は更に前側４０％内（縦に）−及びおそらく図５に示すように物品の長さの前側１０％内又は更に前側２０％内ではない−又は例えば図１及び２に示すように物品の股部区域に位置決めされてもよい。他の実施形態において、前記第１領域（１）は、例えば臍に最も近接していてもよい。
【００７８】
第２領域（２）の最大伸び可能性、εｚｏｎｅ２は、εを超え、好ましくは１１０％ε、更により好ましくは１２０％ε又は更に１３０％εである。
【００７９】
第１領域の絶対収縮長さ（Ｌｃｚｏｎｅ１）は、少なくとも２ｃｍ、又はそれは例えば２×２ｃｍ若しくは３×２ｃｍを超えてよい。
【００８０】
好ましくは、Ｌｃｚｏｎｅ１は、Ｌｃの少なくとも２０％又は少なくとも３０％であるが、典型的に多くて６０％Ｌｃ又は多くて５０％である。
【００８１】
第２領域（２）は、上記第１領域（１）と同じ収縮状態の長さＬｃｚｏｎｅ２を有してよく、又はそれは、第１領域より大きい長さを有してもよい。それは、物品の後側（縦に）５０％内に又は例えば後側腰部区域内に位置決めされてもよい。
【００８２】
弾性積層体部分（１０）は、更なる領域、例えば第１領域の最大伸びεｚｏｎｅ１を超え、典型的に弾性積層体部分（１０）全体の平均最大伸びεを超える最大伸びεｚｏｎｅ３を有する第３領域（３）も備えてよく、これは第２領域の最大伸びεｚｏｎｅ２に等しくてもよい。それは、少なくとも２ｃｍのＬｃｚｏｎｅ３を有する。
【００８３】
第１領域（１）は、典型的に第２領域（２）と第３領域（３）の間に（ｙ−方向向きで）位置決めされる。例えば、第２領域（２）が物品又は構成要素の後側４０％若しくは５０％（縦に）に位置決めされる場合、第３領域（３）は、物品又は構成要素の前側３０％若しくは２０％（縦に）、例えばその間に第１領域（１）を有する前側腰部区域の部分内に位置決めされてもよい。取付け部分（４）は、弾性積層体部分（１０）の両方の長手方向末端部に存在してもよいし存在しなくてもよい。
【００８４】
典型的に、第３領域（３）は、第１領域の平均ひだ高さＨｗｚｏｎｅ１を超える平均ひだ高さＨｗｚｏｎｅ３を有し、典型的に、それはＨｗを超え、例えばＨｗｚｏｎｅ２と同じである。
【００８５】
そして、第３領域（３）は、第１領域の平均ひだ密度Ｄｗｚｏｎｅ１を超える平均ひだ密度Ｄｗｚｏｎｅ３を有する、そしてそれは、全体として弾性積層体部分（１０）の平均ひだ密度Ｄｗとほぼ同じ平均ひだ密度Ｄｗｚｏｎｅ３を有してもよいが、典型的に第３領域（３）は、前記平均Ｄｗを超える、例えば第２領域の平均ひだ密度Ｄｗｚｏｎｅ２と同じ（又は超える）平均ひだ密度を有する。
【００８６】
ひだ密度及びひだ高さは、以下に記載のプリモス法（Primos method）により決定できる。
【００８７】
領域の横方向縁部すなわち境界の視覚化は、
−一方の側のひだの高さ（２ｃｍ長さに沿った）が前記線の他方の側のひだの高さより小さい線又は一方の側にはひだが存在せず、他方の側にある高さのひだが存在する（それぞれ２ｃｍ長さに沿った）線、又は
−一方の側のひだの密度（２ｃｍ長さに沿った）が前記線の他方の側のひだの密度より小さい線又は一方の側にはひだが存在せず、他方の側にある高さのひだが存在する（それぞれ２ｃｍ長さに沿った）線のいずれかを視覚することにより以下に記載したように当該技術分野において既知のプリモス法（Primos method）を使用し行われてもよい。
【００８８】
支持体シートは、弾性材（１２）の積層に適合性のある任意の材料であってよい。支持体シートが、それ自身でｙ−方向に弾性的に伸張性でないのが好ましい。
【００８９】
本明細書における支持体シートは、更に比較的剛性材料であってもよい。１つの実施形態において、弾性積層体部分（１０）を形成する構成要素又は支持体シートの部分は、少なくとも４μナノメートル、更に少なくとも８μナノメートル、少なくとも１０μナノメートル又は少なくとも１２μナノメートルの曲げ剛性を有する。その材料は、比較的高い坪量、すなわち、少なくとも１０グラム／ｍ２、又は更に少なくとも１５グラム／ｍ２、又は更に少なくとも２０グラム／ｍ２、又は更に少なくとも２５グラム／ｍ２を有する材料であってもよい。これは、日本のカトー・テック社（Kato Tech Co Ltd）から入手可能なＫＥＳ−ＦＢ２（純曲げ）試験機を使用し、この設備の操作手順に従うことによって、決定することができる。
【００９０】
好ましい支持体シートは、天然繊維（例えば、木材又は綿繊維）及び／又は合成繊維の織布材若しくは不織布材を含む。支持体シートは、好ましくはポリオレフィン類、ポリエステル類、ポリウレタン類、及びポリアミド類を含む群から選択される好ましくは熱可塑性ポリマー繊維を含み、最も好ましくは熱可塑性高分子は、ポリオレフィン、最も好ましくはポリプロピレン又はポリエチレンである。
【００９１】
その繊維は、スパンボンドされても、カード加工されても、湿式積層されても、メルトブローンされても、及び／又は水流交絡されても、及び／又は当該技術分野において既知の他の方法で加工されてもよい。支持体シートは、少なくともメルトブロー繊維を含む不織布材を備えることが好ましく、メルトブロー繊維は、好ましくは前記材料中に少なくとも５ｇ／ｍ２、更に少なくとも７ｇ／ｍ２、更に少なくとも１０ｇ／ｍ２又は更に少なくとも１５ｇ／ｍ２（上記で定義したように全体として最大量は、支持体シートの坪量で限定される）の坪量を有する。
【００９２】
支持体シートは、好ましくは空気透過性である。本明細書におけるある手法、例えばレッグカフ、バリアカフにおいて、それが高い障壁性を有することが好ましい場合がある。
【００９３】
支持体シートは、ミクロ細孔を有してもよい、それは、小さいミクロ細孔を有する均一孔径を有する、すなわち支持体シートは、１００μｍ未満、好ましくは７５μｍ未満、より好ましくは５０μｍ未満及び最も好ましくは２５μｍ未満の最大孔径（気泡点直径）を備える孔を有する。その孔は又、好ましくは、平均孔径が２０μｍ未満、好ましくは１７μｍ未満、より好ましくは１３μｍ未満、最も好ましくは１０μｍであるようなものである。
【００９４】
支持体シートが、２つ又はそれ以上のシート又はウェブの部分であることが好ましい場合もある。例えば、それは、少なくとも２つの層を含むことができ、その一方は、メルトブローン（Ｍ）層であり、他方は、スパンボンド（Ｓ）又は毛羽立てられた（Ｃ）層のいずれかである。
【００９５】
好ましい手法は、ＳＭ  ＳＭＳ、ＳＭＭＳ、ＳＳＭＳ、ＳＳＭＭＳ、ＣＭ、又はＣＭＣ不織布積層体である。支持体シートの１つの表面、ウェブ、又は層が、本明細書に記載された表面エネルギー還元剤で処理されることが好ましい場合もある。
【００９６】
最も好ましくは、上記不織布ウェブは、ポリエチレン、ポリプロピレン及び／又はポリブチレンポリマー繊維類、又はポリエチレン、ポリプロピレン及び／又はポリブチレンのコポリマー類の繊維類（の混合物）から形成され、ポリプロピレンポリマー繊維類が最も好ましい。
【００９７】
本明細書において支持体シートとして使用されて好ましい材料は、３２μｍの最大孔径（気孔径）及び３４ダルシー／ｍｍの空気透過性を有し、名前ペガホブ（Pegaphob）０２  ４４５  ０３２としてペガス（Pegas）から入手可能な３４ｇｓｍＳＭＳポリプロピレン不織布積層体、５７μｍの最大孔径を有し、例えば名前ペガホブ（Pegaphob）０２  ４４５  ０２４としてペガス（Pegas）から入手可能な２４ｇｓｍＳＳＭＭＳポリプロピレン不織布積層体、４８μｍの最大孔径を有し、例えば名前ペガホブ（Pegaphob）０２  ４４５  ０３２としてペガス（Pegas）から入手可能な３４ｇｓｍＳＳＭＭＳ、２２μｍの最大孔径を有し、コードＶＰ２１／００／７５としてサンドラー（Sandler）から入手可能な２０ｇｓｍウェブ、又は２３μｍの最大孔径を有し、コードＶＰ２１／００／７６としてサンドラー（Sandler）から入手可能な２０ｇｓｍウェブである。そのような材料は、材料の表面エネルギーを低下させるために、例えばダイポリット（Dipolit）で処理されてもよい。
【００９８】
支持体シートが、着用者の皮膚と支持体シート又は特に皮膚と弾性積層体部分（１０）との間の摩擦を減少させる成分を含むことが好ましい場合もある。これに関して、構成要素、例えば弾性積層体部分（１０）又は支持体シートは、例えばローション、タルク粉体等の微細粉末、又はワックスを含んでよい。
【００９９】
構成要素、支持体シート又は積層体部分（１０）は、その表面エネルギーを低下させる試剤で処理されてもよい。有用な処理剤には、例えば、米国特許第５，８７６，７５３号（ティモンス（Timmons）ら、１９９９年３月２日発行）、米国特許第５，８８８，５９１号（グリーソン（Gleason）ら、１９９９年３月３０日発行）、米国特許第６，０４５，８７７号（グリーソン（Gleason）ら、２０００年４月４日発行）に記載されるような、フルオロカーボン類が挙げられる。その他の処理剤として、シリコーンが挙げられる。空気透過性を低下させることなく処理剤を材料に適用する有用な方法は、米国特許特許第５，３２２，７２９号及びＰＣＴ国際公開特許ＷＯ９６／０３５０１に見出すことができる。好ましい処理剤は、フルオロカーボン類、シロキサン類、ポリシロキサン類（好ましくは、ヘキサフルオロエチレン、ヘキサフルオロプロピレン、並びにフッ化ビニル及びフッ化ビニリデン、フルオロアクリレート及びフルオロメタクリレートを包含する、フッ素化モノマー類及びフッ素化ポリマー類が挙げられる）から成る群から選択されてもよい。構成要素が、ポリ（テトラ）フルオロエチレン、フッ素化エチレン−プロピレンコポリマー類及び／又はフッ素化エチレン−テトラフルオロエチレンコポリマー類を備えることが非常に好ましい。
【０１００】
非常に好ましい実施形態において、本明細書における弾性積層体部分（１０）を有する構成要素は、おむつのバリアカフ及び／又はレッグカフ、トレーニングパンツ又は成人用失禁製品である。
【０１０１】
これらの例において、支持体シートは、好ましくは疎水性及び／又は尿不透過性である。
【０１０２】
本明細書において好ましい物品は、本明細書に記載したように２つの分離した構成要素又は１つの構成要素のいずれかとして、すなわち一対のレッグカフ又はバリアカフとして少なくとも弾性積層体部分（１０）を含み、当該技術分野において周知のようにそれは、おむつの長手方向縁部に沿って長手方向に延在する。
【０１０３】
弾性材（１２）は、支持体シートの長さ及び幅全体にわたって延在してよいが、前記弾性材（類）（１２）が少なくとも支持体シートの幅全体にわたって延在しないことが好ましい場合もある。
【０１０４】
好ましい実施形態において、弾性積層体部分（１０）は、弾性材（１２）の１つ以上のストランド又はバンドを支持体シートに取り付けることにより形成されるが、もしそれが使用中、例えば、弾性ストランド又はバンドが同じ方法（例えば、平行）で、及び使用中積層体部分（１０）が得られるほどあまりにも一緒に近接して支持体シートに取り付けられて単一弾性部分（１０）として作用する場合、そのような積層体部分（１０）は、単一積層体部分（１０）と考えられる。典型的に、単一弾性積層体部分（１０）の弾性バンド又はストランド間の平均距離は、１〜５ｍｍ又は１〜３ｍｍである。
【０１０５】
弾性積層体部分（１０）の幅は、典型的に構成要素、例えばウエストバンド、レッグカフ及び／又は物品の正確な寸法により変わることになる。
【０１０６】
例えば、弾性積層体部分（１０）がレッグカフ又はバリアカフの一部である場合、弾性積層体部分（１０）は、３ｍｍ未満、例えば約０．２〜３ｍｍ、更に０．３〜１．５ｍｍの平均幅を有してよい。
【０１０７】
本明細書においてウエストバンドの一部である弾性積層体部分（１０）は、１ｃｍ〜６ｃｍ、又は１．５ｃｍ〜４ｃｍの平均幅を有してもよく、本明細書において弾性積層体部分（１０）を含み又は弾性積層体部分（１０）から構成されるサイドパネルは、例えば２ｃｍ〜１５ｃｍ、又は更に３〜１０ｃｍの平均幅を有してもよい。
【０１０８】
又、弾性積層体部分（１０）の長さは、典型的に構成要素又は物品の寸法によることになる。例えば、サイズ４のおむつの場合、本明細書においてレッグカフ又はバリアカフである構成要素の弾性積層体部分（１０）は、完全な伸張状態において平均で少なくとも２５ｃｍ、好ましくは３５ｃｍ〜４５ｃｍであってもよい。
【０１０９】
本発明の目的のために任意の弾性材（１２）が使用されてよいが、好ましい材料は、トレデガー（Tredegar）から入手可能なＶＦＥ−ＣＤ、フルフレックス（Fulflex）（アイルランド、ライムリック（Limerick））から入手可能なＬ−８６、好ましくはフルフレックス（Fulflex）から入手可能なＬ−８９、又はもちろんこれらの材料自身の１つ以上が最も好ましい。
【０１１０】
本明細書で使用される弾性材（１２）は、典型的に少なくとも２０μ、より好ましくは少なくとも４０μ、更に少なくとも６０μ、典型的に約３００μまで、更に２００μまで又は更に１５０μまでの厚さ（例えば、ゲージ）を有する。非常に好ましい材料は、約７０〜１００ミクロンの厚さを有する。
【０１１１】
発明者らは、最大伸びを減少、又は伸びが全くない、及び典型的により小さいひだ及び／又はひだ密度である１つ以上の領域（１、２）を導入することにより減少した圧力跡が得られることを見出した。しかし、弾性積層体部分（１０）を有する構成要素及び物品の全体的な弾性特性は、維持できる。従って、弾性積層体部分（１０）及び／又は本明細書の積層体部分（１０）を有する構成要素は、そのようなものであるから、典型的にそれは、減少した伸びの第１領域（１）にもかかわらず、以下の弾性特性を有する、それは、
ａ）１．１Ｎ未満又は更に０．６Ｎ未満の第１負荷力による１．５Ｌｔ、２．１Ｎ又は更に１．１Ｎ未満の第１負荷力による３．０Ｌｔ及び３．０Ｎ未満又は更に１．５Ｎ未満の第１負荷力による４．５Ｌｔ、並びに０．９Ｎを超える４．５Ｌｔでの第２無負荷力、０．５Ｎを超える３．０Ｌｔでの第２無負荷力及び０．１Ｎを超える１．５Ｌｔでの第２無負荷力
（同時係属の欧州出願ＥＰ１２０１２１２−Ａに詳述された方法により得られた前記弾性特性、それに従って、Ｌｔは、構成要素（componenet）の収縮長さであり、本明細書でＬｃと呼ばれる）
又はｂ）０．６０．６Ｎ未満の第１負荷力による０．２５Ｌｓ、５Ｎ未満又は３．５Ｎ未満の第１負荷力による０．５５Ｌｓ及び１０．０Ｎ未満又は更に７．０Ｎ未満の第１負荷力による０．８Ｌｓ並びに０．４Ｎを超える０．５５Ｌｓでの第２無負荷力及び１．４Ｎを超える又は更に２．０Ｎを超える０．８０Ｌｓでの第２無負荷力
（同時係属の出願ＥＰ１２０１２１２−Ａに詳述された方法により得られた前記弾性特性、それに従って、Ｌｓは、本明細書で定義される）のいずれかである。
【０１１２】
好ましくは、構成要素又は弾性積層体部分（１０）は、それが２００％伸びで１．６Ｎ以下の第１負荷力又は２００％伸びで０．５Ｎ以上の第２無負荷力を有するような力特性を有する。
【０１１３】
方法
構成要素又は積層体部分（１０）は、例えば
ａ．それがその最大長さ寸法を有するようなものである支持体シートを得る工程と、
ｂ．弾性材（１２）を得及び０．３未満の伸びによりその少なくとも１つの第１部分を伸長し、又は少なくとも２ｃｍの完全収縮長Ｌｃｚｏｎｅ１を有する少なくとも前記第１部分を伸長しない工程と、
ｃ．少なくともその第２部分を少なくとも０．７の伸びを有するように伸長する工程と、
ｄ．工程ｂ．で得られた前記第１部分を支持体シートに適用し第１領域を形成する工程（１）と、
ｅ．工程ｂ．で得られた前記第２部分を支持体シートに適用し第２領域を形成する工程（２）とを含み、
それにより異なる伸びの少なくとも前記第１領域（１）及び前記第２領域（２）を有する弾性積層体部分（１０）を得る方法により得ることができる。
【０１１４】
ここで、工程ｄ．は、工程ｃ．の前に適用されてもよい。又、工程ｄ．及び所望により工程ｅ．は、工程ｂ．の前に適用されてもよい。
【０１１５】
これを更に図９〜１２に示す。
【０１１６】
弾性材（１２）は、接着剤又は熱接合を含む任意の既知の方法により支持体シートに取り付けられてもよい。それらは、いかなるひだも有しないような取り付け部分（４）も得られないか、又はほんの少しの取り付け部分（４）のみが得られるように取り付けられ、１ｃｍ未満又は更に０．５ｍｍ未満の長さを有する（弾性積層体部分（１０）の長さの方向）ように取り付けられてもよい。
【０１１７】
弾性バンド又はストランドを支持体シートに取り付ける好ましい方法が、同時係属の欧州出願０３０２２０８９（２００３年１０月１日申請）に記載されている、というのは、それは、又より高い伸びと弾性を有する第２及び第３又は更なる領域によりいかなる圧力跡も減少させることができるからである。
【０１１８】
試験方法：
その完全伸張長さ（領域（の位置）Ｌｓ及びＬｓｚｏｎｅ１、２、・・・・ｘ及び伸びを画定し、また決定するため）又はε＝０．５の伸びに伸張する方法
上記で詳述した計算の場合、全体としての積層体部分（１０）（直線の場合）、その直線部分（図１３及び１４のように直線の角度が付いた部分を含む場合）又はその区間（図１５及び１６のように湾曲している場合）−以下試料と呼ぶ−のいずれかがそれに力を加えて伸張されることになる。これは以下のように行われる。
【０１１９】
構成要素（前記試料を含む）又は可能であればその弾性積層体部分（１０）（前記試料を含む）は、伸び可能性、ひだ高さ及びひだ密度が変化しないように吸収性物品から取り除くことにより得られる。
【０１２０】
以下の伸長／伸張工程の前にそれを２４時間、２５℃、５０％湿度で放置する、それは引き続き同じ条件下で行われる。
【０１２１】
マイクロメートルスクリューで区間／試料の長さの測定を行うことができる。
【０１２２】
試験される（各）試料を２つのピンセット（伸張の方向）の間に、試料の幅が１ｃｍを超える場合、各末端部の１つが１ｃｍ幅の２つのクランプの間に縦に定置し、その結果、ピンセット／クランプと試料の接触面積は、伸張の方向（長さ）に最大でクランプの場合１ｍｍ、ピンセットの場合０．５ｍｍとなる。一方のクランプ又はピンセットの先頭と他方のクランプ又はピンセットの先頭の正確な距離を測定する。これが、試料、例えば積層体部分、その直線部分又はその区間の収縮長さ、すなわちマーカーペンの線の間にしるしをつけられた２ｃｍである。
【０１２３】
次に、試料をその最大伸び、例えば支持体シートがその最大長さに到達するまで伸張し、試料の長さ、クランプ間の距離を測定し、伸びεを計算する。
【０１２４】
直線試料の場合、クランプ又はピンセットを直線試料の長さのｙ−方向に移動し、その結果、長さ方向が伸長力の方向となる。
【０１２５】
湾曲した試料の場合、上記で決定したようにクランプは抵抗力線に沿って移動する。
【０１２６】
ε＝０．５の伸び
弾性積層体部分（１０）が「０．５の伸びε」を有するときの密度及びひだを測定するが、それは本明細書において、以下を意味する。
【０１２７】
弾性積層体部分（１０）が直線の場合、全体として構成要素及び／又は積層体部分（１０）は、それが伸びε＝０．５を有する長さまで伸長又は伸張される（例えば、Ｌｃが２０ｃｍの場合、積層体部分（１０）はＬｓ＝３０ｃｍに伸張される）。次に、積層体部分は、以下の方法で試験できる。
【０１２８】
弾性積層体部分（１０）が角度を付けて接続される直線部分を有する場合、上記に記載し、図１〜５、１３及び１４で示されるように、各直線区間を、０．５の伸びだけ、もしこれが可能でなければ（例えば、図５及び８で示したように１つの直線区間がいかなる又は全く伸びの可能性がない状態で第１領域（１）に一致する場合）その最大伸び（従って０．５未満でなければならない）まで伸長する。次に、この積層体部分は、以下の方法で試験できる。
【０１２９】
弾性積層体部分（１０）が湾曲している場合、上記に記載し、図１５及び１６で示されるように、各２ｃｍ区間を、０．５の伸びまで（ピンセット又はクランプを使用することにより）又はこれが可能でない場合、その最大伸び（０．５未満（les than）でなければならない）まで伸ばす。次に、この積層体部分（１０）は、以下の方法で試験できる。
【０１３０】
各ケースにおいて、弾性積層体部分（１０）を試験表面（例えば、接着剤、ピン）上のε＝０．５の部分的に伸張された位置に固定し、次に弾性積層体部分を伸張するため使用したピンセットを注意ぶかく移動し、弾性積層体部分の位置が移動していないことを確実にする。
【０１３１】
異なるひだ高さ又は密度の領域を画定し、これらのパラメーターの量を定める
以下に本明細書における領域（１、２）の境界を視覚化する方法及び／又はそれらの構成要素、区間及び領域の積層体部分（１０）のひだ高さ及びひだ密度を決定する方法を記載した。
【０１３２】
上記方法で画定されまた得られた０．５の伸びを有する各試料をプリモス（PRIMOS）及びデータ取得ソフトウエアを使用し、製造の指示マニュアルに従い、１３×１８ｍｍレンズを使用して調べた。
【０１３３】
プリモス（PRIMOS）機器及びソフトウエアは、例えば全体としての積層体、その区画又はその部分の試料の平均ひだ高さ及び密度を計算することになる。そして、第１及び第２領域は、領域の伸びについて先に概説した方法により同定できる。各区間及び同定した領域（例えば、１つ以上の区間）の平均ひだ高さ及び密度が計算できる。
【０１３４】
弾性積層体部分が３ｍｍを超える平均幅を有する場合、上記測定は、その全長に沿って積層体部分の幅の内側７０％だけで行われる。
【０１３５】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。
【０１３６】
本発明の特定の実施形態について説明し記載したが、この発明の要旨及び範囲を逸脱せずに様々なその他の変更及び修正が可能であることが当業者には明白であろう。したがって、本発明の範囲内にあるそのようなすべての変更及び修正を、添付の特許請求の範囲で扱うものとする。
【図面の簡単な説明】
【０１３７】
【図１】非常に限定された伸び可能性のみを備える第１領域（１又は１ｃ）を有する本発明の代表的なおむつの斜視図。
【図２】第２領域（２）及び第３領域（３）が部分的に伸張状態にある使用中の図１のおむつ。
【図３】第１領域（１、１ｂ）が図１に比較して非常に僅かだけ伸長し、ひだを有しない部分的に伸張状態にある図１のおむつの平面図。
【図４】第１領域（１、１ｂ）が僅かに更におむつの前側腰部区域のほうに、少年の生殖器が使用される場所に近接して位置決めされる別のおむつの平面図。
【図５】第１領域（１、１ｃ）が弾性材を含むが収縮状態においてさえもいかなるひだも含まない別のおむつの斜視図。
【図６】部分的に伸張した状態の図１、２及び３の積層体部分（１０）の断面側面図。
【図７】収縮状態の図８の積層体部分（１０）の断面側面図。
【図８】第１領域（１）がいかなるひだも含まず、いかなる伸び可能性も有しない収縮状態の別の積層体部分の断面側面図。
【図９】本明細書における弾性積層体部分（１０）及び構成要素が如何にして得られたかの概略平面図。
【図１０】本明細書における弾性積層体部分（１０）及び構成要素が如何にして得られたかの概略平面図。
【図１１】本明細書における弾性積層体部分（１０）及び構成要素が如何にして得られたかの概略平面図。
【図１２】もたらされた積層体（１０）及び構成要素の断面側面図。
【図１３】収縮状態の角度を付けられた積層体部分（１０）の平面図。
【図１４】約０．５の平均伸びでの図１３のこの積層体部分。
【図１５】収縮状態の湾曲した積層体部分（１０）の平面図。
【図１６】約０．５の平均伸びでの図１５のこの積層体部分。
【図１】
2009511236.tif 000003
【図２】
2009511236.tif 000004
【図３】
2009511236.tif 000005
【図４】
2009511236.tif 000006
【図５】
2009511236.tif 000007
【図６】
2009511236.tif 000008
【図７】
2009511236.tif 000009
【図８】
2009511236.tif 000010
【図９】
2009511236.tif 000011
【図１０】
2009511236.tif 000012
【図１１】
2009511236.tif 000013
【図１２】
2009511236.tif 000014
【図１３】
2009511236.tif 000015
【図１４】
2009511236.tif 000016
【図１５】
2009511236.tif 000017
【図１６】
2009511236.tif 000018
【国際調査報告】
2009511236.tif 000019
2009511236.tif 000020
2009511236.tif 000021